(57)【要約】【課題】設置スペースや美観上の問題でアンテナを設置できない場合であっても、見通しの良い場所にアンテナを構成し得るアンテナ給電装置を提供する。【解決手段】避難誘導灯１０は、金属製枠体１１の開口面に誘導表示板１２を備えている。金属製枠体１１の上面中央部に絶縁ギャップ１５を設けて上部を左右に二分し、絶縁ギャップ１５を設けた部分に給電ボックス１６を装着する。給電ボックス１６は、下側を開口した金属筐体１７を絶縁筐体１８上に設け、金属筐体１７に入出力接栓２１を装着する。入出力接栓２１は、中心導体２３を給電金具２５及び給電ボルト２６により絶縁ギャップ１５の一方の側部に接続し、外導体２２を金属筐体１７、アース金具２０及びアースボルト２７により絶縁ギャップ１５の他方の側部に接続し、絶縁ギャップ１５を設けた避難誘導灯１０の金属製枠体１１をアンテナとして動作させる。【選択図】図２
2009152684.tif 000002
【特許請求の範囲】
【請求項１】
閉空間に設置される金属製枠体からなる構造物に設けられ、前記金属製枠体の側面を二分してアンテナとして機能させる絶縁ギャップと、前記金属製枠体の絶縁ギャップ形成部分に絶縁体を介して装着される金属製の給電ボックスと、前記給電ボックスに装着される入出力接栓と、前記入出力接栓の中心導体を給電金具を介して前記金属製枠体における絶縁ギャップの一方の側部に接続する給電ボルトと、前記入出力接栓の外導体をアース金具を介して前記金属製枠体における絶縁ギャップの他方の側部に接続するアースボルトとを具備することを特徴とするアンテナ給電装置。
【請求項２】
閉空間に設置される金属製筐体からなる構造物に設けられ、該金属製筐体をスロットアンテナとして機能させるスロットと、前記金属製筐体のスロット形成部分に絶縁体を介して装着される金属製の給電ボックスと、前記給電ボックスに装着される入出力接栓と、前記入出力接栓の中心導体を給電金具を介して前記金属製筐体におけるスロットの一方の側部に接続する給電ボルトと、前記入出力接栓の外導体をアース金具を介して前記金属製筐体におけるスロットの他方の側部に接続するアースボルトとを具備することを特徴とするアンテナ給電装置。
【請求項３】
前記給電ボックスにおいて、入出力接栓の中心導体と給電金具との間に整合回路を設け、給電インピーダンスを所要の値に調整することを特徴とする請求項１又は２に記載のアンテナ給電装置。
【発明の詳細な説明】
【技術分野】
【０００１】
本発明は、例えばビルの屋内、地下街、地下鉄構内などの閉空間において、屋内構造物をアンテナとして利用し、移動通信や放送などのサービスを行うためのアンテナ給電装置に関する。
【背景技術】
【０００２】
従来、例えば地下街、地下鉄構内、デパートの屋内などの閉空間において、移動通信やテレビ放送などのサービスを行う際には、見通しの良い天井や壁などの場所を選定してアンテナを設置している（例えば、特許文献１参照。）。
【０００３】
しかしながら、設置スペースの問題や美観上の問題によりアンテナを設置できない場合が多く、必ずしも電波伝播上有利な見通しの良い場所にアンテナを設置できるとは限らず、サービスエリアが限定される等の問題があった。
【０００４】
また、本発明に関連する公知技術として、例えば地下街、地下鉄構内、オフィスビルなどに設置される誘導灯器具内に放送用電波を発信するアンテナを収納してなる表示器具や（例えば、特許文献２参照。）、アンテナユニット及びカメラからなるアクセスポイントを誘導灯に併設すると共に前記アクセスポイントを無線リンクにより情報機器に接続し、災害発生時等において予め指定された情報機器を動作させ、災害発生場所等に設置されたカメラを起動させる技術が知られている（例えば、特許文献３参照。）。
【特許文献１】特開平９−９３０１１号公報
【特許文献２】特開２００７−３０４６５８号公報
【特許文献３】特開２００６−３０４２７１号公報
【発明の開示】
【発明が解決しようとする課題】
【０００５】
上記のように地下街、地下鉄構内、デパートの屋内などの閉空間において、移動通信やテレビ放送などのサービスを行う際には、見通しの良い天井や壁などの場所を選定してアンテナを設置する必要があるが、設置スペースの問題や美観上の問題により、アンテナの設置が困難であったり、最適な場所に設置することができないという問題があった。
【０００６】
本発明は上記の課題を解決するためになされたもので、地下街、地下鉄構内、デパートの屋内などの閉空間において、設置スペースがない場合や美観上の問題で新たにアンテナを設置できない場合であっても、電波伝播上有利となる見通しの良い場所にアンテナを構成し得るアンテナ給電装置を提供することを目的とする。
【課題を解決するための手段】
【０００７】
第１の発明に係るアンテナ給電装置は、閉空間に設置される金属製枠体からなる構造物に設けられ、前記金属製枠体の側面を二分してアンテナとして機能させる絶縁ギャップと、前記金属製枠体の絶縁ギャップ形成部分に絶縁体を介して装着される金属製の給電ボックスと、前記給電ボックスに装着される入出力接栓と、前記入出力接栓の中心導体を給電金具を介して前記金属製枠体における絶縁ギャップの一方の側部に接続する給電ボルトと、前記入出力接栓の外導体をアース金具を介して前記金属製枠体における絶縁ギャップの他方の側部に接続するアースボルトとを具備することを特徴とする。
【０００８】
第２の発明に係るアンテナ給電装置は、閉空間に設置される金属製筐体からなる構造物に設けられ、該金属製筐体をスロットアンテナとして機能させるスロットと、前記金属製筐体のスロット形成部分に絶縁体を介して装着される金属製の給電ボックスと、前記給電ボックスに装着される入出力接栓と、前記入出力接栓の中心導体を給電金具を介して前記金属製筐体におけるスロットの一方の側部に接続する給電ボルトと、前記入出力接栓の外導体をアース金具を介して前記金属製筐体におけるスロットの他方の側部に接続するアースボルトとを具備することを特徴とする。
【０００９】
第３の発明は、前記第１の発明又は第２の発明に係るアンテナ給電装置において、給電ボックスにおける入出力接栓の中心導体と給電金具との間に整合回路を設け、給電インピーダンスを所要の値に調整することを特徴とする。
【発明の効果】
【００１０】
本発明によれば、例えば地下街、地下鉄構内、デパートの屋内などの閉空間に設置される避難誘導灯や電光式案内標識等の構造物をアンテナとして利用することができるので、設置スペースがない場合や美観上の問題で新たにアンテナを設置できない場合であっても、電波伝播上有利となる見通しの良い場所にアンテナを構成することが可能である。
【００１１】
また、給電ボックスにおける入出力接栓の中心導体と給電金具との間に整合回路を設け、給電インピーダンスを所要の値に調整することにより、アンテナ特性を向上することができる。
【発明を実施するための最良の形態】
【００１２】
以下、図面を参照して本発明の実施形態を説明する。
【００１３】
（第１実施形態）
図１は本発明の第１実施形態に係るアンテナ給電装置を避難誘導灯に実施した場合の外観構成を示し、（ａ）は正面図、（ｂ）は側面図である。図２（ａ）は同実施形態に係るアンテナ給電装置の詳細な構成を示す正面断面図、同図（ｂ）は避難誘導灯の上面図である。
【００１４】
図１及び図２において、１０は例えば地下街、地下鉄構内、デパートの屋内などの閉空間に設置される避難誘導灯で、例えばアルミニウム等の金属板により形成された四角形や長方形の金属製枠体１１の一方あるいは両側の開口面に合成樹脂製の誘導表示板１２が着脱可能に装着されている。上記避難誘導灯１０は、非常口や避難通路を示すための発光する標識で、誘導表示板１２には白地に緑色、または緑地に白のシンボルマーク１３が描かれており、見通しの良い天井や壁面等に設置される。図２は、避難誘導灯１０を天井板１４に装着した場合を例として示している。上記避難誘導灯１０内には、図示しないが蛍光灯の光源や点灯回路等が設けられている。
【００１５】
そして、上記金属製枠体１１には、図２に示すように上面中央部に絶縁ギャップ１５を設ける。上記絶縁ギャップ１５は、金属製枠体１１の全幅に亘って設け、金属製枠体１１の上部を左右に二分する。上記絶縁ギャップ１５の間隔Ｄは、例えば約５〜１０ｍｍの範囲で設定する。
【００１６】
上記金属製枠体１１の上面には、絶縁ギャップ１５を設けた部分に給電ボックス１６を装着する。給電ボックス１６は、図２に示すように底面を開口した金属筐体１７が略Ｕ字状に形成された絶縁筐体１８にネジ１９ａ、１９ｂにより固定される。この場合、一方のネジ１９ｂ側には、金属筐体１７の内側に略Ｌ字状に形成されたアース金具２０が配設され、その一方の片がネジ１９ｂにより金属筐体１７に固定され、金属筐体１７とアース金具２０との間が電気的に接続される。上記アース金具２０は、他方の片が絶縁筐体１８上に接して位置するように設けられる。
【００１７】
また、金属筐体１７には、上面の略中央部に入出力接栓２１が装着される。この入出力接栓２１は、金属筐体１７にネジ止めされ、外導体２２が金属筐体１７に電気的に接続される。また、入出力接栓２１の中心導体２３は、金属筐体１７の中央部に設けられた透孔より絶縁体２４を介在して内部に挿入され、略Ｌ字状に形成された給電金具２５の上端部に例えば半田付けにより接続される。上記給電金具２５は、下方に位置する片が絶縁筐体１８上に接して位置するように設けられる。
【００１８】
上記絶縁筐体１８は、金属製枠体１１の上面に絶縁ギャップ１５を中心として配置され、絶縁ギャップ１５の両側において、給電ボルト２６及びアースボルト２７により金属製枠体１１に固定される。この場合、給電ボルト２６は絶縁筐体１８の上側に位置させた給電金具２５と共に金属製枠体１１に固定し、アースボルト２７は絶縁筐体１８の上側に位置させたＬ字状のアース金具２０と共に金属製枠体１１に固定する。上記給電ボルト２６とアースボルト２７との間隔Ｗは、約λ／１０に設定する。上記λは対象とする電波の波長である。
【００１９】
上記金属製枠体１１への給電ボックス１６の取付け作業は、例えば金属筐体１７の側面を取り外し可能に設けることによって行うことができる。上記給電ボックス１６の絶縁筐体１８は、金属筐体１７と金属製枠体１１との間を絶縁すると共に、絶縁ギャップ１５が設けられた金属製枠体１１を補強し、絶縁ギャップ１５の間隔Ｄを一定に保持する機能を有している。
【００２０】
上記避難誘導灯１０を図２に示すように天井板１４に装着する場合、天井板１４の一部に切欠きを設け、その切欠部に給電ボックス１６を配置する。
【００２１】
上記のように避難誘導灯１０の金属製枠体１１に絶縁ギャップ１５を設けて左右に分離することにより、上記金属製枠体１１がループアンテナ、または折返しダイポールアンテナとして動作する。そして、給電ボックス１６に設けられている入出力接栓２１は、中心導体２３が給電金具２５及び給電ボルト２６を介して金属製枠体１１の一端、すなわち絶縁ギャップ１５の一方の側部に接続され、外導体２２が金属筐体１７、アース金具２０及びアースボルト２７を介して金属製枠体１１の他端、すなわち絶縁ギャップ１５の他方の側部に接続される。
【００２２】
従って、送信装置（図示せず）から同軸ケーブルを介して入出力接栓２１に給電すると、この給電電力は入出力接栓２１の中心導体２３及び外導体２２より金属製枠体１１の絶縁ギャップ１５の両端に伝達され、金属製枠体１１から電波が放射される。
【００２３】
上記避難誘導灯１０は、その性質上から見通しの良い場所に設置されるので、電波伝播上においても良好な場所にアンテナを設置したことになり、広いサービスエリアを確保することができる。また、避難誘導灯１０の金属製枠体１１をアンテナとして利用することにより、アンテナを新たに設置しなくても良いので、アンテナの設置場所を確保する必要がなく、また、美観上問題となることもない。
【００２４】
また、上記避難誘導灯１０は、送信用アンテナとして利用できる共に、受信用アンテナとしても利用することが可能である。
【００２５】
なお、上記避難誘導灯１０を構成している金属製枠体１１の長手方向の長さは、λ／２に近い方が望ましいが、その他の長さであっても特に問題はない。
【００２６】
また、上記実施形態において、既に設置されている避難誘導灯１０を加工して給電ボックス１６を装着しても、あるいは新たに避難誘導灯１０を製作して給電ボックス１６を装着し、所定の場所に設置するようにしても良い。
【００２７】
（第２実施形態）
次に本発明の第２実施形態について図３及び図４を参照して説明する。
【００２８】
図３は本発明の第２実施形態に係るアンテナ給電装置を避難誘導灯に実施した場合の詳細な構成を示す正面断面図、図４（ａ）〜（ｃ）は図３における整合回路の構成例を示す図である。
【００２９】
この第２実施形態に係るアンテナ給電装置は、図１及び図２に示した第１実施形態において、給電ボックス１６における入出力接栓２１の中心導体２３と給電金具２５との間に整合回路３０を設け、給電インピーダンスを調整して所要値に整合するようにしたものである。
【００３０】
整合回路３０としては、例えば図４（ａ）〜（ｃ）に示すように高周波コイルＬとコンデンサＣ等を組み合わせたフィルタ回路が用いられる。上記整合回路３０は、図４に示した構成の他、避難誘導灯１０の構成内容等に合わせて任意の組み合わせが考えられる。
【００３１】
上記第２実施形態によれば、第１実施形態と同様の効果が得られると共に、更に整合回路３０によって給電インピーダンスを整合でき、アンテナ特性を向上することができる。
【００３２】
（第３実施形態）
次に本発明の第３実施形態について図５を参照して説明する。
【００３３】
図５は本発明に係るアンテナ給電装置を電光式案内標識３１に実施した場合の構成例を示したもので、（ａ）は一部断面して示す正面図、（ｂ）は側面図である。なお、この第３実施形態における給電ボックス１６は、第１実施形態に示したものと同様の構成であるので詳細な説明は省略する。
【００３４】
電光式案内標識３１は、金属板により形成された長方形の金属製枠体３２の一方あるいは両側の両開口面に例えば合成樹脂製の案内表示板３３が着脱可能に装着されている。上記電光式案内標識３１は、地下街、地下鉄構内、デパートの屋内などの閉空間において、見通しの良い天井や壁面等に設置される。
【００３５】
上記案内表示板３３には、案内標識が描かれており、金属製枠体３２内に設けられた蛍光灯等の光源により電光表示される。なお、案内表示板３３は、内部の光源により電光表示されるものの他、例えばＬＥＤ（発光ダイオード）等を用いて案内標識自体が発光するように構成したものでも良い。
【００３６】
そして、上記金属製枠体３２には、第１実施形態と同様に上面中央部に絶縁ギャップ１５を全幅に亘って設け、金属製枠体３２の上部を左右に二分する。上記金属製枠体３２の上面には、絶縁ギャップ１５を設けた部分に給電ボックス１６を装着し、絶縁ギャップ１５の両側において給電ボルト２６及びアースボルト２７を用いて固定する。この場合、第１実施形態の図２に示したように、入出力接栓２１の中心導体２３を給電金具２５及び給電ボルト２６を介して絶縁ギャップ１５の一方の側部に接続し、入出力接栓２１の外導体２２を金属筐体１７、アース金具２０及びアースボルト２７を介して絶縁ギャップ１５の他方の側部に接続する。
【００３７】
上記電光式案内標識３１は、地下街等の閉空間において、視覚的に見通しの良い場所に設置されることから、金属製枠体３２をアンテナとして使用することにより、電波伝播上有利な条件を得ることができ、第１実施形態と同様の効果、すなわちアンテナの設置スペースがない場合や美観上の問題で新たにアンテナを設置できない場合であっても、電波伝播上有利となる見通しの良い場所にアンテナを構成し得る等の効果を得ることができる。
【００３８】
また、上記第３実施形態において、第２実施形態と同様に給電ボックス１６における入出力接栓２１の中心導体２３と給電金具２５との間に整合回路を設けて給電インピーダンスを所要の値に調整するようにしても良い。
【００３９】
（第４実施形態）
次に本発明の第４実施形態について図６を参照して説明する。
【００４０】
図６は本発明に係るアンテナ給電装置を金属窓枠に実施した場合の構成を示し、（ａ）は正面図、（ｂ）は側面図である。
【００４１】
この第４実施形態に係るアンテナ給電装置は、地下街、地下鉄構内、デパート内などの閉空間において、店舗などに使用される窓３５の金属窓枠３６に実施した場合の構成例を示したもので、給電ボックス１６は第１実施形態に示したものと同様の構成であるので、詳細な説明は省略する。
【００４２】
窓３５は、窓ガラス３７が金属窓枠３６に装着され、例えば図６に示すように壁３８に設けられた空間部に設置される。上記金属窓枠３６の一辺例えば上辺の中央部に絶縁ギャップ１５を設け、金属窓枠３６の上辺を左右に二分する。そして、金属窓枠３６には、絶縁ギャップ１５を設けた部分の上部に給電ボックス１６を装着する。この場合、給電ボックス１６は、第１実施形態と同様に絶縁ギャップ１５の両側に給電ボルト２６とアースボルト２７が位置するように金属窓枠３６に装着する。上記給電ボックス１６は、図６（ｂ）に示すように金属窓枠３６を支える壁３８の内部に配置される。
【００４３】
上記のように窓３５を構成する金属窓枠３６に絶縁ギャップ１５を設け、この絶縁ギャップ１５の両側に給電ボックス１６を介して給電することにより、金属窓枠３６がループアンテナまたは折返しアンテナとしてとして良好に動作する。
【００４４】
上記窓３５は、地下街等の閉空間において、店舗などに使用されており、視覚的に見通しの良い場所に多く設置されることから、金属窓枠３６をアンテナとして使用することにより、電波伝播上有利な条件を得ることができ、第１実施形態と同様の効果を得ることができる。
【００４５】
また、上記第４実施形態において、第２実施形態と同様に給電ボックス１６における入出力接栓２１の中心導体２３と給電金具２５との間に整合回路を設けて給電インピーダンスを所要の値に調整するようにしても良い。
【００４６】
（第５実施形態）
次に本発明の第５実施形態について図７及び図８を参照して説明する。
【００４７】
図７は本発明に係るアンテナ給電装置を電光式看板に実施した場合の構成例を示し、（ａ）は一部断面して示す正面図、（ｂ）は側面図である。図８は同実施形態に係るアンテナ給電装置の詳細な構成を示す側面断面図である。
【００４８】
この第５実施形態に係るアンテナ給電装置は、電光式看板４１に実施した場合を例として示したもので、給電ボックス１６は第１実施形態に示したものと同様の構成であるので、同一部分には同一符号を付して詳細な説明は省略する。
【００４９】
電光式看板４１は、箱状の金属筐体４２の前面が開口され、この開口面に電光式表示板４３が着脱可能に装着されている。上記電光式表示板４３及び金属筐体４２には、例えばＬＥＤ（発光ダイオード）等を用いた電光装置が装着され、電光式表示板４３上に電光表示ができるように構成されている。上記電光式看板４１は、地下街、地下鉄構内、デパート内などの閉空間において、視覚的に見通しの良い場所に設置される。図８は、上記電光式看板４１を上記閉空間における壁４５に設置した場合を例として示している。
【００５０】
そして、上記金属筐体４２の底板４２ａには、電光装置の妨げにならない位置にスロット４４を水平方向あるいは垂直方向に設ける。上記スロット４４は、例えば幅が約５〜１０ｍｍ、長さが約λ／２に設定される。スロット４４の長さは、約λ／２に設定することが望ましいが、その他の値であっても良い。上記スロット４４の方向は、使用する電波の偏波方向、すなわち水平偏波であるか垂直偏波であるかによって決定する。
【００５１】
また、金属筐体４２の底板４２ａには、背面側にスロット４４の中央部分に位置するように給電ボックス１６を配設する。この場合、給電ボックス１６は、例えば給電ボルト２６がスロット４４の上側に位置し、アースボルト２７がスロット４４の下側に位置するように絶縁筐体１８を金属筐体４２の底板４２ａに固定する。なお、上記給電ボルト２６とアースボルト２７の位置関係は、どちらが上になっても良く、任意に設定することができる。
【００５２】
上記電光式看板４１を図８に示すように壁４５に装着する場合、壁４５の一部に切欠きを設け、その切欠部に給電ボックス１６を配設する。
【００５３】
上記のように電光式看板４１を構成する金属筐体４２の底板４２ａにスロット４４を設け、このスロット４４の中央部の両側に給電ボックス１６を介して給電することにより、電光式看板４１を構成する金属筐体４２がスロットアンテナとして良好に動作する。
【００５４】
上記電光式看板４１は、地下街等の閉空間において、視覚的に見通しの良い場所に設置されることから、金属筐体４２をアンテナとして使用することにより、電波伝播上有利な条件を得ることができ、第１実施形態と同様の効果を得ることができる。
【００５５】
また、上記第５実施形態において、第２実施形態と同様に給電ボックス１６における入出力接栓２１の中心導体２３と給電金具２５との間に整合回路を設けて給電インピーダンスを所要の値に調整するようにしても良い。
【００５６】
（第６実施形態）
次に本発明の第６実施形態について図９及び図１０を参照して説明する。
【００５７】
図９は本発明に係るアンテナ給電装置を自立式案内板に実施した場合の構成例を示す正面図、図１０は図９における案内表示部金属筐体の詳細な構成を示す側面断面図である。
【００５８】
図９において、５１は自立式案内板で、案内表示部５２の両側を自立支柱５３ａ、５３ｂによって保持している。上記案内表示部５２は、案内表示部金属筐体５４の前面側にて案内表示を行っている。上記案内表示部金属筐体５４は、例えば側板が開閉可能に設けられている。
【００５９】
そして、上記案内表示部金属筐体５４の背面板５４ａに所定長さのスロット４４を例えば水平方向に設けると共に、スロット４４の中央部分に位置するように給電ボックス１６を背面板５４ａの内側面に装着する。この場合、給電ボックス１６は、例えば給電ボルト２６がスロット４４の下側に位置し、アースボルト２７がスロット４４の上側に位置するように絶縁筐体１８を案内表示部金属筐体５４の背面板５４ａに固定する。
【００６０】
また、この第６実施形態では、図１０に示すように給電ボックス１６の金属筐体１７の下側面に入出力接栓２１を設け、その中心導体２３を給電金具２５の一方の端部に半田付け等により接続している。この給電金具２５の他方の端部は、給電ボルト２６により案内表示部金属筐体５４の背面板５４ａに固定する。また、金属筐体１７の上部内側にアース金具２０の一端をネジ１９ｂにより固定し、アース金具２０の他端をアースボルト２７により案内表示部金属筐体５４の背面板５４ａに固定している。
【００６１】
上記第６実施形態に係る給電ボックス１６は、金属筐体１７の下側部に入出力接栓２１を設けているが、その他は第１実施形態に示した給電ボックス１６と同様の構成となっている。
【００６２】
上記のように自立式案内板５１の案内表示部５２を構成する案内表示部金属筐体５４の背面板５４ａにスロット４４を設け、このスロット４４の中央部の両側に給電ボックス１６を介して給電することにより、案内表示部金属筐体５４がスロットアンテナとして良好に動作する。
【００６３】
上記自立式案内板５１は、地下街等の閉空間において、視覚的に見通しの良い場所に設置されることが多く、案内表示部金属筐体５４をアンテナとして使用することにより、電波伝播上有利な条件を得ることができ、第１実施形態と同様の効果を得ることができる。
【００６４】
また、第６実施形態では、案内表示部金属筐体５４内に給電ボックス１６を収納しているので、給電ボックス１６の設置場所を確保できない場合であっても容易に実施することができ、また、給電ボックス１６が美観上問題となることもない。
【００６５】
また、上記第６実施形態において、第２実施形態と同様に給電ボックス１６における入出力接栓２１の中心導体２３と給電金具２５との間に整合回路を設けて給電インピーダンスを所要の値に調整するようにしても良い。
【００６６】
なお、上記第１ないし第５実施形態では、避難誘導灯１０などの構造物の外側に給電ボックス１６を設けた場合について示したが、第６実施形態で示したように構造物の内部に給電ボックス１６を設けても良い。
【００６７】
また、本発明は、上記実施形態そのままに限定されるものではなく、実施段階ではその要旨を逸脱しない範囲で構成要素を変形して具体化できるものである。
【図面の簡単な説明】
【００６８】
【図１】本発明の第１実施形態に係るアンテナ給電装置を避難誘導灯に実施した場合の外観構成を示し、（ａ）は正面図、（ｂ）は側面図である。
【図２】（ａ）は同実施形態に係るアンテナ給電装置の詳細な構成を示す正面断面図、（ｂ）は避難誘導灯の上面図である。
【図３】本発明の第２実施形態に係るアンテナ給電装置を避難誘導灯に実施した場合の詳細な構成を示す正面断面図である。
【図４】同実施形態における整合回路の構成例を示す図である。
【図５】本発明の第３実施形態に係るアンテナ給電装置を電光式案内標識に実施した場合の構成例を示し、（ａ）は一部断面して示す正面図、（ｂ）は側面図である。
【図６】本発明の第４実施形態に係るアンテナ給電装置を金属窓枠に実施した場合の構成を示し、（ａ）は正面図、（ｂ）は側面図である。
【図７】本発明の第５実施形態に係るアンテナ給電装置を電光式看板に実施した場合の構成例を示し、（ａ）は一部断面して示す正面図、（ｂ）は側面図である。
【図８】同実施形態に係るアンテナ給電装置の詳細な構成を示す側面断面図である。
【図９】本発明の第６実施形態に係るアンテナ給電装置を自立式案内板に実施した場合の構成例を示す正面図である。
【図１０】同実施形態における案内表示部金属筐体の詳細な構成を示す側面断面図である。
【符号の説明】
【００６９】
１０…避難誘導灯、１１…金属製枠体、１２…誘導表示板、１３…シンボルマーク、１４…天井板、１５…絶縁ギャップ、１６…給電ボックス、１７…金属筐体、１８…絶縁筐体、１９ａ、１９ｂ…ネジ、２０…アース金具、２１…入出力接栓、２２…入出力接栓の外導体、２３…入出力接栓の中心導体、２４…絶縁体、２５…給電金具、２６…給電ボルト、２７…アースボルト、３０…整合回路、３１…電光式案内標識、３２…金属製枠体、３３…案内表示板、３５…窓、３６…金属窓枠、３７…窓ガラス、３８…壁、４１…電光式看板、４２…金属筐体、４２ａ…金属筐体の底板、４３…電光式表示板、４４…スロット、４５…壁、５１…自立式案内板、５２…案内表示部、５３ａ、５３ｂ…自立支柱、５４…案内表示部金属筐体、５４ａ…案内表示部金属筐体の背面板。
【図１】
2009152684.tif 000003
【図２】
2009152684.tif 000004
【図３】
2009152684.tif 000005
【図４】
2009152684.tif 000006
【図５】
2009152684.tif 000007
【図６】
2009152684.tif 000008
【図７】
2009152684.tif 000009
【図８】
2009152684.tif 000010
【図９】
2009152684.tif 000011
【図１０】
2009152684.tif 000012